(57)【要約】【課題】本発明は、リム無し３Ｄメガネを提供することを目的とする。【解決手段】本発明に係る３Ｄメガネは、フレームと、２つのレンズと、２つの接着シートと、固定シートと、を備える。前記フレームは、ブリッジ及び２つのテンプルを備える。前記２つのテンプルはそれぞれ前記ブリッジの両端に対称に設けられ、前記ブリッジの中央には接続部が設置され、前記２つのレンズは前記２つの接着シートによって前記固定シートに貼り付けられ、前記固定シートの中央には係合シートが設置され、前記係合シートと前記接続部とを接続することによって前記固定シートに貼り付けられた前記レンズを前記フレームに取り付ける。【選択図】図１
2013141252.tif 000002
【特許請求の範囲】
【請求項１】
フレームと、２つのレンズと、２つの接着シートと、固定シートと、を備え、前記フレームはブリッジ及び２つのテンプルを備え、前記２つのテンプルはそれぞれ前記ブリッジの両端に対称に設けられ、前記ブリッジの中央には接続部が設置され、前記２つのレンズは前記２つの接着シートによって前記固定シートに貼り付けられ、前記固定シートの中央には、係合シートが設置され、前記係合シートと前記接続部とを接続することによって前記固定シートに貼り付けられた前記レンズを前記フレームに設置させることを特徴とする３Ｄメガネ。
【請求項２】
前記接続部の内部には収容空間が設けられていることを特徴とする請求項１に記載の３Ｄメガネ。
【請求項３】
前記収容空間の内には電子装置が設置され、前記電子装置が前記接続部に接続される際、前記固定シートに貼り付けられた前記レンズに電気的に接続されることを特徴とする請求項２に記載の３Ｄメガネ。
【請求項４】
前記固定シートは、前記係合シートの両側に位置する２つの接合領域をさらに備えることを特徴とする請求項１〜３のいずれか一項に記載の３Ｄメガネ。
【請求項５】
前記接合領域は、前記フレームに面する内表面を有し、前記内表面にはレンズが設置されることを特徴とする請求項４に記載の３Ｄメガネ。
【請求項６】
前記レンズの、前記内表面に面する表面を接合面とし、接合面の表面粗度及び平面曲率は、内表面の表面粗度及び平面曲率と同じであることを特徴とする請求項５に記載の３Ｄメガネ。
【請求項７】
前記接着シートの形状は、前記レンズの形状と同じであり、前記接着シートは前記レンズの接合面と前記接合領域との間に設置され、前記レンズを前記接合領域に貼り付けることを特徴とする請求項６に記載の３Ｄメガネ。
【発明の詳細な説明】
【技術分野】
【０００１】
本発明は、３Ｄメガネに関するものである。
【背景技術】
【０００２】
近年、３Ｄ化が急速に進んでおり、３Ｄ映画を見ることが流行となっている。しかし、専用の３Ｄメガネをかける必要がある。一般的に、このような３Ｄメガネは、作動方式に基づいてパッシブ方式とアクティブ方式に分けられる。パッシブ方式は「偏光」という光の性質を利用するもので、この方式では１画面上に左目用と右目用の映像を同時に表示し、画面に偏光フィルターを取り付け、併せて偏光メガネを用いることで、左目用及び右目用の映像を同時にそれぞれの目に送り届けて、立体的に見せる仕組みである。一方、アクティブ方式では、左目用及び右目用の映像を画面上で高速で交互に表示し、その切り替えに応じてメガネの左右のレンズのシャッターを開閉させ、こうすることで少しずれた映像を左右の目に見せて、脳の中で立体視させるというものである。現在、３Ｄ映像に対応した薄型テレビ（３Ｄテレビ）の多くで採用されているのはアクティブ方式である。一般的に、３Ｄメガネは、レンズを眼前に固定するためのリムを備える。リムは、視野を制限して狭くし、且つ３Ｄメガネの重量及びコストを増加させてしまう。
【発明の概要】
【発明が解決しようとする課題】
【０００３】
本発明の目的は、前記課題を解決し、リム無し３Ｄメガネを提供することである。
【課題を解決するための手段】
【０００４】
本発明に係る３Ｄメガネは、フレームと、２つのレンズと、２つの接着シートと、固定シートと、を備える。前記フレームは、ブリッジ及び２つのテンプルを備える。前記２つのテンプルはそれぞれ前記ブリッジの両端に対称に転着され、前記ブリッジの中央には接続部が設置され、前記２つのレンズは前記２つの接着シートによって前記固定シートに貼り付けられ、前記固定シートの中央には係合シートが設置され、前記係合シートと前記接続部とを接続することによって前記固定シートに貼り付けられた前記レンズを前記フレームに設置させる。
【発明の効果】
【０００５】
本発明に係る３Ｄメガネにおいて、接着シートによってレンズを固定シートに固定させた後固定シートをフレームに係合する。これにより、レンズをリムによって固定する必要がないため、３Ｄメガネの重量が軽くてコストが低い。
【図面の簡単な説明】
【０００６】
【図１】本発明の実施形態に係る３Ｄメガネの分解斜視図である。
【図２】図１に示した本発明の実施形態に係る３Ｄメガネのレンズと固定シートの組立斜視図である。
【図３】図１に示した本発明の実施形態に係る３Ｄメガネの組立斜視図である。
【発明を実施するための形態】
【０００７】
以下、図面を参照して、本発明の実施形態について説明する。
【０００８】
図１に示したように、本発明の実施形態に係る３Ｄメガネの分解斜視図である。３Ｄメガネ１０は、フレーム１２と、２つのレンズ１４と、２つの接着シート１６と、固定シート１８と、を備える。
【０００９】
フレーム１２は、ブリッジ１２２及び２つのテンプル１２４を備える。２つのテンプル１２４は、それぞれブリッジ１２２の両端に対称に転着される。フレーム１２は、テンプル１２４を耳にかけることによって眼前に置かれる。ブリッジ１２２の中央には、接続部１２６が設置されている。該接続部１２６は、異なる３Ｄメガネ１０の構造に対応して接続機能を提供するために用いられている。例えば、３Ｄメガネ１０がパッシブ方式を採用する場合、接続部１２６は、固定シート１８と接続する機能を持つのみである。３Ｄメガネ１０がアクティブ方式を採用する場合、接続部１２６は固定シートと接続する以外、接続部１２６の内部には回路基板、電源、制御装置などのような電子装置（図示せず）を収容するために用いられる収容空間１２６２を有する。収容空間１２６２は、固定シート１８と接続する一方、電子装置と固定シート１８に設置されるレンズ１４とが電気的に接続することを可能にする。フレーム１２は、リム無しであるため、ブリッジ１２２及びテンプル１２４から構成される構造は簡単で軽量であり、３Ｄメガネ１０を鼻にかけた後も視野を広く取れる。
【００１０】
図２を参照すると、レンズ１４は、固定シート１８に設置される。固定シート１８とフレーム１２とは接続されることによってレンズ１４をフレーム１２に設置させる。固定シート１８は、薄い片状であり、プラスチックからなるため、３Ｄメガネの重量は重くならない。固定シートは、中央に位置する係合シート１８２及び係合シート１８２の両側に位置する２つの接合領域１８４を備える。係合シート１８２は、フレーム１２に面して設置される。接合領域１８４は、フレーム１２に面する内表面１８４２を有する。レンズ１４の内表面１８４２に面する表面を、接合面１４２とする。接合面１４２の表面粗度及び平面曲率は、内表面１８４２の表面粗度及び平面曲率と同じであるため、レンズ１４は接合領域１８４に緊密に貼り付けられる。
【００１１】
接着シート１６の形状は、レンズ１４の形状と同じである。接着シート１６は、レンズ１４の接合面１４２と接合領域１８４との間に設置され、レンズ１４を接合領域１８４に貼り付ける。
【００１２】
図３を参照すると、レンズ１４は貼り付けることによって固定シート１８の接合領域１８４に固定されるため、固定シート１８の形状は制限されない。レンズ１４は、固定シート１８の接合領域１８４の形状及び内表面１８４２の表面粗度及び平面曲率に基づいて製造する。固定シート１８は、接着シート１６によってレンズ１４に貼り付けた後、係合シート１８２によって接続部１２６に接続される。係合シート１８２と接続部１２６とは、係合する又は螺合することによって組み合わせる。これにより、固定シート１８をブリッジ１２２に堅固に取り付ける。３Ｄメガネ１０において、レンズ１４をリムによって固定する必要がないため、３Ｄメガネの重量は軽く、コストが低い。
【００１３】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲によって定義される。
【符号の説明】
【００１４】
１０  ３Ｄメガネ
１２  フレーム
１４  レンズ
１６  接着シート
１８  固定シート
１２２  ブリッジ
１２４  テンプル
１２６  接続部
１４２  接合面
１８２  係合シート
１８４  接合領域
１２６２  収容空間
１８４２  内表面
【図１】
2013141252.tif 000003
【図２】
2013141252.tif 000004
【図３】
2013141252.tif 000005